(57)【要約】【課題】ストリーム蓄積装置２において、ストリームデータとは別の領域にサムネイル画像１２を蓄積する領域を不要とする映像表示システムを得る。【解決手段】本願発明の映像表示システムは、ストリーム蓄積装置２が撮像対象を撮影するカメラ装置１からの映像を蓄積し、要求により蓄積している映像のストリームデータを配信し、閲覧者制御装置４がストリーム蓄積装置２に蓄積している映像のうちの一部の映像を送信するようにストリーム蓄積装置２に要求し、送信された一部の映像のストリームデータからサムネイル画像１２を生成する。【選択図】図１
2008148135.tif 000002
【特許請求の範囲】
【請求項１】
撮像対象を撮影するカメラ装置からの映像を蓄積し、要求により蓄積している映像のストリームデータを配信するストリーム蓄積装置と、
上記ストリーム蓄積装置に蓄積している映像のうちの一部の映像を送信するように上記ストリーム蓄積装置に要求し、送信された一部の映像のストリームデータからサムネイル画像を生成し表示する閲覧者制御装置を備えることを特徴とする映像表示システム。
【請求項２】
閲覧者制御装置が、新たに生成したサムネイル画像と、前に生成したサムネイル画像とを比較し、サムネイル画像が一定以上変化した場合に、上記新たに生成したサムネイル画像を表示することを特徴とする請求項１記載の映像表示システム。
【発明の詳細な説明】
【技術分野】
【０００１】
この発明は、配信されるストリームデータからサムネイル画像を生成し表示する映像表示システムに関するものである。
【背景技術】
【０００２】
従来の映像表示システムは、ストリーム蓄積装置に蓄積されたデータから必要なデータを容易に検索するための方法として、サムネイル画像表示を行っている。この表示を行うためのサムネイル画像は、ストリーム蓄積装置において蓄積されたデータからあらかじめ画像を抽出しサムネイル画像を生成するか、常時サムネイル画像を生成するサムネイル画像保存専用装置を別に設置し、その装置においてサムネイル画像を生成する。つまり従来の映像表示システムは、データを容易に検索するためサムネイル画像を表示する受信側の装置が、ストリーム蓄積装置やサムネイル画像保存専用装置等の配信側の装置で生成したサムネイル画像を取得し表示を行っている。
【０００３】
【特許文献１】特開２００１−２１１４２１号公報（段落００２５〜段落００８１, 段落０１８８〜段落０２１９）
【特許文献２】特開２００５−３３９３０１号公報（段落００１６〜段落００４０）
【発明の開示】
【発明が解決しようとする課題】
【０００４】
従来のサムネイル画像表示システムは以上のように構成され、配信側の装置において、ストリームデータとは別の領域にサムネイル画像を蓄積する領域が必要という課題があった。
【０００５】
この発明は上記のような課題を解決するためになされたもので、配信側の装置において、ストリームデータとは別の領域にサムネイル画像を蓄積する領域を不要とする映像表示システムを得ることを目的とする。
【課題を解決するための手段】
【０００６】
この発明に係る映像表示システムは、撮像対象を撮影するカメラ装置からの映像を蓄積し、要求により蓄積している映像のストリームデータを配信するストリーム蓄積装置と、ストリーム蓄積装置に蓄積している映像のうちの一部の映像を送信するようにストリーム蓄積装置に要求し、送信された一部の映像のストリームデータからサムネイル画像を生成し表示する閲覧者制御装置を備えるものである。
【発明の効果】
【０００７】
この発明によれば、映像表示システムは、配信側の装置において、ストリームデータとは別の領域にサムネイル画像を蓄積する領域を不要とすることができるという効果を奏する。
【発明を実施するための最良の形態】
【０００８】
以下、この発明の実施の一形態を説明する。
実施の形態１．
図１は、この発明の実施の形態１によるシステム構成図である。
実施の形態１のシステムは、カメラ装置１（１ａ〜１ｃ）、ストリーム蓄積装置２，ネットワーク３及び閲覧者制御装置４により構成され、カメラ装置１、ストリーム蓄積装置２，閲覧者制御装置４はネットワーク３を介して接続されている。
【０００９】
ここで、カメラ装置１は、回転台およびカメラからなる装置であり、道路状況や河川状況監視のためにリアルタイムの映像を撮像する。このカメラ装置１で撮像された映像は、ネットワーク３を介してストリーム蓄積装置２若しくは閲覧者制御装置４に配信される。またカメラ装置１はパン・チルト・ズーム制御等を有するカメラを用いることができる。
【００１０】
ストリーム蓄積装置２は、カメラ装置１からの映像を蓄積する装置であり、カメラ装置１から配信される映像を、例えば時系列的に蓄積する。ストリーム蓄積装置２が蓄積領域を超えて蓄積する場合は、蓄積時刻が古いもの若しくは重要度が低いもの等から上書きして蓄積を行う。またストリーム蓄積装置２は、閲覧者制御装置４からの要求により、蓄積した映像の配信を行うので、ストリーム蓄積装置２で蓄積された映像は、閲覧者制御装置４において随時映像再生表示が可能であり、突発的な事故等が発生したときに監視履歴の映像として使用することも可能である。
【００１１】
ネットワーク３は、カメラ装置１やストリーム蓄積装置２からの映像信号や、閲覧者制御装置４からの要求信号を送受信するネットワークである。またネットワーク３は、これらの信号を送受信するために十分な環境であれば、インターネット回線でもＬＡＮ（Ｌｏｃａｌ  Ａｒｅａ  Ｎｅｔｗｏｒｋ）回線でも良い。
【００１２】
閲覧者制御装置４は、カメラ装置１やストリーム蓄積装置２から配信される映像を受信して表示し、この表示された映像を閲覧者が確認し監視する端末であり、コンピュータ等により構成される。閲覧者制御装置４はストリーム蓄積装置２に対して一定間隔、例えば５分間隔で映像を数秒配信する要求を送信し、ストリーム蓄積装置２から配信されたこの数秒の映像のストリームデータを取得し、この取得したストリームデータからサムネイル画像を生成し表示を行うことができる。また閲覧者制御装置４は、例えば、映像表示用のソフトウェアを内部記憶媒体もしくは外部記憶媒体から読み込んで保持しているコンピュータ等も使用できる。
【００１３】
次にサムネイルに関する動作について説明する。
カメラ装置１は、道路状況や河川状況等の撮像対象を監視するため、道路状況や河川状況等をリアルタイムに撮像し、この撮像した映像はネットワーク３を介してストリーム蓄積装置２に配信される。
【００１４】
ストリーム蓄積装置２は、このカメラ装置１から配信される映像を蓄積し、閲覧者制御装置４からの要求により、この蓄積された映像のストリームデータを、例えば５分間隔で数秒配信する。閲覧者制御装置４は、その配信された数秒間の映像のストリームデータを取得し、この取得したストリームデータからサムネイル画像を生成し表示を行う。
【００１５】
図２は、この発明の実施の形態１における閲覧者制御装置内に表示されるサムネイル画像表示図である。
閲覧者制御装置４は、図２のように画像イメージ１１上にサムネイル画像１２を表示する。ここで、画像イメージ１１はサムネイル画像１２を表示するためのサムネイル表示アプリケーションの画面のイメージであり、閲覧者制御装置４上に表示されればどのような表示形態でもよい。サムネイル画像１２は画像イメージ１１上に表示される画像であり、時刻とともに表示される。この時刻はサムネイル画像１２上に表示しても、サムネイル画像１２を表示している近傍に表示しても良い。閲覧者が任意のサムネイル画像１２をマウスやリモコン等の入力装置から選択した場合、閲覧者制御装置４はストリーム蓄積装置２に対して選択されたサムネイル画像に関する全体の映像の配信要求を行い、閲覧者制御装置４において配信された映像を表示する。
【００１６】
図２では、サムネイル画像１２表示間隔は５分間隔としているが、１時間間隔や１分間隔などの時間間隔でストリームデータを取得し、サムネイル画像１２を生成し表示することも可能である。また、閲覧者が指定する任意の時間を選択し表示することも可能である。
【００１７】
以上のように、実施の形態１によれば、映像表示システムは、撮像対象を撮影するカメラ装置１からの映像を蓄積し、要求により蓄積している映像のストリームデータを配信するストリーム蓄積装置２と、ストリーム蓄積装置２に蓄積している映像のうちの一部の映像を送信するようにストリーム蓄積装置２に要求し、送信された一部の映像のストリームデータからサムネイル画像１２を生成し表示する閲覧者制御装置４を備えることにより、ストリーム蓄積装置２において、ストリームデータとは別の領域にサムネイル画像１２を蓄積する領域を不要とすることができるという効果を奏する。
【００１８】
また実施の形態１によれば、映像表示システムは、閲覧者制御装置４においてストリームデータからサムネイル画像１２を生成するため、サムネイル画像１２を生成するためにストリーム蓄積装置２内に領域の確保や保存専用装置を必要としないので、システム構築費を安価にすることができるという効果を奏する。
【００１９】
また実施の形態１によれば、映像表示システムは、閲覧者制御装置４においてストリームデータからサムネイル画像１２を生成するため、ストリーム蓄積装置２において一度蓄積されたストリームデータよりサムネイル画像１２を生成しサムネイル画像１２の蓄積処理を行うことは必要なく、ストリーム蓄積装置２の負荷を減少させることができるという効果を奏する。
【００２０】
また実施の形態１によれば、映像表示システムは、任意の時刻のサムネイル画像１２を生成することができるため、必要な時刻のサムネイル画像１２が得ることが可能となるという効果を奏する。
【００２１】
また実施の形態１によれば、映像表示システムは、閲覧者制御装置４においてストリームデータからサムネイル画像１２を生成するため、映像を配信するために必要な装置がストリーム蓄積装置２及びサムネイル画像保存専用装置等のように複数必要とすることはなく、ストリームデータを容易に検索，配信できるようにすることができるという効果を奏する。
【００２２】
実施の形態２．
実施の形態２は、実施の形態１と同様のシステムであり、カメラ装置１は例えばパン・チルト・ズーム制御が可能なものを用い、ストリーム蓄積装置２はカメラ装置１からの映像を蓄積し、閲覧者制御装置４は新しく生成したサムネイル画像１２と前に生成したサムネイル画像１２とを比較し、サムネイル画像１２が一定以上変化した場合、例えばサムネイル画像１２の画像サイズや画角等が一定以上変化した場合、閲覧者制御装置４に新しく生成したサムネイル画像１２を表示するものである。
【００２３】
図３は、この発明の実施の形態２の処理のシーケンスを示す図である。
まず、閲覧者制御装置４はストリーム蓄積装置２よりストリームデータを受信し、新たにサムネイル画像１２を生成する（ＳＴ１）。閲覧者制御装置４は、新たに生成したサムネイル画像１２と前に生成したサムネイル画像１２を比較し（ＳＴ２）、例えば事故発生時や侵入者検出時等の場合に、侵入者を大きく映すことにより画角が変化したときや、事故の画像を大きく表示するために画像サイズが変化したときは、サムネイル画像が一定以上変化したと判断し、画像イメージ１１上に新たに生成したサムネイル画像１２を表示する（ＳＴ３）。
【００２４】
また、閲覧者制御装置４は新たなサムネイル画像１２を生成できなかった場合、生成不可の警告の表示をあらかじめ準備して表示することで、画像異常の表示を行うことができる。
【００２５】
以上のように、実施の形態２によれば、閲覧者制御装置４が、新たに生成したサムネイル画像１２と、前に生成したサムネイル画像１２とを比較し、サムネイル画像１２が一定以上変化した場合に、新たに生成したサムネイル画像１２を表示することにより、サムネイル画像１２の変化が大きい場合に、新たに生成したサムネイル画像１２を閲覧者に提供することができ、ストリーム蓄積装置２から事故発生時や侵入者検出時などの必要な蓄積データの検索を容易にするという効果を奏し、交通事故や侵入者が発生した時刻の検索が容易になるという効果を奏する。
【図面の簡単な説明】
【００２６】
【図１】この発明の実施の形態１のシステム構成図である。
【図２】この発明の実施の形態１における閲覧者制御装置内に表示されるサムネイル画像表示図である。
【図３】この発明の実施の形態２の処理のシーケンスを示す図である。
【符号の説明】
【００２７】
１（１ａ，１ｂ，１ｃ）  カメラ装置、２  ストリーム蓄積装置、３  ネットワーク、４  閲覧者制御装置、１１  画像イメージ、１２  サムネイル画像。
【図１】
2008148135.tif 000003
【図２】
2008148135.tif 000004
【図３】
2008148135.tif 000005